(57)【要約】 【課題】観音式扉の動作に支障をきたすことなく、ガスケットの擦れ寿命劣化がなく、密着性に優れ、消費電力も低減することができる、信頼性の高い冷蔵庫を提供する。【解決手段】冷蔵庫本体１の開口部の左右両側に回動自在に枢支され対向して配置した観音開き式の一対の扉４６、４７と、一対の扉４６、４７の対向部近傍のそれぞれの裏面側に設けられたガスケット５６、５７と、一対の扉４６、４７の対向部近傍であってガスケット５６、５７よりもさらに裏面側にそれぞれ設けられて、相互に密着するとともにガスケット５６、５７とも密着する一対の仕切体２３、２４、及び扉４６、４７の開放時は仕切体２３、２４の双方を相互に離れる方向に案内し、扉４６、４７の閉鎖時は仕切体２３、２４の双方を相互に近づく方向に案内するガイド機構を有する可動仕切手段とを備えた。【選択図】図３
2008185239.tif 000002
【特許請求の範囲】
【請求項１】
冷蔵庫本体の開口部の左右両側に回動自在に枢支されて対向して配置した観音開き式の一対の扉と、
前記一対の扉の対向部近傍のそれぞれの裏面側に設けられたガスケットと、
前記一対の扉の対向部近傍であって前記ガスケットよりもさらに裏面側にそれぞれ設けられて、相互に密着するとともに前記ガスケットとも密着する一対の仕切体、及び前記扉の開放時は前記仕切体の双方を相互に離れる方向に案内し、前記扉の閉鎖時は前記仕切体の双方を相互に近づく方向に案内するガイド機構を有する可動仕切手段とを、
備えたことを特徴とする冷蔵庫。
【請求項２】
前記可動仕切手段が、前記仕切体とガイド機構を膜状のパッキンで覆って形成されものであることを特徴とする請求項１記載の冷蔵庫。
【請求項３】
前記一対の扉の対向部を冷蔵庫の内側方向に延在させるとともに前記対向部の間に前記ガスケットと前記可動仕切手段を設けたことを特徴とする請求項１または２記載の冷蔵庫。
【請求項４】
前記一対の扉の前記対向部の延在端部近傍に前記可動仕切手段の一端を固定したことを特徴とする請求項３記載の冷蔵庫。
【請求項５】
前記可動仕切手段のガイド機構は、前記一対の扉の対向部のそれぞれに取り付けられており前記仕切体を前記対向部のほぼ対向する方向及びこの方向に直交する方向に同時にスライドさせるガイド部と、該ガイド部と前記仕切体の間に介装された弾性体とを有することを特徴とする請求項１〜４のいずれかに記載の冷蔵庫。
【請求項６】
前記仕切体にほぼＪ字状に形成されたガイド溝が形成され、前記扉の開閉時に前記仕切体のガイド溝が前記箱体に設けたガイドピンに沿ってスライドして、前記仕切体が前記対向部のほぼ対向する方向にスライドすることを特徴とする請求項５記載の冷蔵庫。
【請求項７】
前記仕切体に冷蔵庫の内側方向に傾斜する溝部が設けられ、前記溝部は前記ガイド部に設けられたガイド軸によって前記対向部の対向方向とほぼ直交する方向にスライドし、前記扉が開放されるときに前記仕切体が前記ガスケットから離れる方向に移動するようにしたことを特徴とする請求項５記載の冷蔵庫。
【請求項８】
前記扉の開閉途上に前記弾性体の中性点を有するようにしたことを特徴とする請求項１〜７のいずれかに記載の冷蔵庫。
【請求項９】
前記弾性体が巻きばねであることを特徴とする請求項１〜８のいずれかに記載の冷蔵庫。
【請求項１０】
前記弾性体が板ばねであることを特徴とする請求項１〜８のいずれかに記載の冷蔵庫。
【請求項１１】
相互に密着する前記一対の仕切体の少なくとも一方の接触面に磁性体を設けたことを特徴とする請求項１〜１０のいずれかに記載の冷蔵庫。
【請求項１２】
相互に密着する前記一対の仕切体の一方の接触面に磁性体を設け、他方の接触面に鉄製板金を設けたことを特徴とする請求項１〜１０のいずれかに記載の冷蔵庫。
【請求項１３】
前記仕切体と前記ガイド機構の間に減衰機構を設けたことを特徴とする請求項１〜１２のいずれかに記載の冷蔵庫。
【請求項１４】
前記減衰機構が軟質材料からなることを特徴とする請求項１３記載の冷蔵庫。
【請求項１５】
前記減衰機構がオイルダンパからなることを特徴とする請求項１４記載の冷蔵庫。
【発明の詳細な説明】
【技術分野】
【０００１】
本発明は、観音開き式の扉装置を備えた冷蔵庫に関するものである。 
【背景技術】
【０００２】
従来の冷蔵庫は、断熱箱体の上部に形成した貯蔵室の開口部に設けられた観音開き式の扉の非支持側の側面に枠板に取り付けられた可動仕切体を設け、可動仕切体上下部の案内溝部の曲面を動作させる突起を貯蔵室の天面または底面に設け、扉の開閉動作に連動して可動仕切体のみを扉と平行に可動させて、可動仕切体同士を密着し、密着解除する（例えば、特許文献１参照）。
【０００３】
【特許文献１】特開２００５−３３７６８０号公報（第６−７頁、図４−図５）
【発明の開示】
【発明が解決しようとする課題】
【０００４】
特許文献１の冷蔵庫によれば、可動仕切体はバネ力が縮む方向にしか働かないため、可動仕切体の密着はマグネットの磁力に頼ることになり、磁力はバネ力より大きい必要があるが、その場合、密着面にあたるガスケットは開閉のため大きい磁力で引っ張られるためガスケットが破れやすい。逆に、バネ力を小さくし、磁力も相対的に小さくしても原理的には成立するが、可動仕切体の密着性に乏しくなり、庫内の冷気漏れが生じ、右扉、左扉表面への露付や、消費電力の浪費などが生じる。
【０００５】
本発明は、上記のような課題を解決するためになされたもので、観音式扉の動作に支障をきたすことなく、ガスケットの擦れ寿命劣化がなく、可動仕切体間の密着性に優れ、消費電力も低減することができる、信頼性の高い冷蔵庫を提供することを目的とする。
【課題を解決するための手段】
【０００６】
本発明に係る冷蔵庫は、冷蔵庫本体の開口部の左右両側に回動自在に枢支され対向して配置した観音開き式の一対の扉と、前記一対の扉の対向部近傍のそれぞれの裏面側に設けられたガスケットと、前記一対の扉の対向部近傍であって前記ガスケットよりもさらに裏面側にそれぞれ設けられて、相互に密着するとともに前記ガスケットとも密着する一対の仕切体、及び前記扉の開放時は前記仕切体の双方を相互に離れる方向に案内し、前記扉の閉鎖時は前記仕切体の双方を相互に近づく方向に案内するガイド機構を有する可動仕切手段とを備えたものである。
【発明の効果】
【０００７】
本発明によれば、観音式扉の動作に支障をきたすことなく、使い勝手がよく、ガスケットの擦れ寿命劣化もなくなり、仕切体間の密着性にも優れ、消費電力も低減することができる、信頼性の高い冷蔵庫を提供することができる。
【発明を実施するための最良の形態】
【０００８】
実施の形態１．
図１は本発明の実施の形態１に係る冷蔵庫を示す側断面図、図２は図１の冷蔵庫の扉を取り除いた状態を示す正面図である。
冷蔵庫本体１は、鋼板製の外箱１ａと、剛性樹脂性の内箱１ｂを備え、外箱１ａ及び内箱１ｂの間には発泡断熱体１ｃが充填されて断熱箱体を構成している。冷蔵庫本体１を複数に仕切った室の最上部には冷蔵室２が設けられ、冷蔵室２の下部の左側（図の左側）には製氷室３が、また冷蔵室２の下部の右側（図の右側）には切替室４が設けられている。製氷室３と切替室４の下側には野菜室５が設けられ、野菜室５の下側すなわち冷蔵庫本体１を仕切った室の中で最下部には冷凍室６が設けられている。
【０００９】
冷蔵室２の左右縁部には、上下ヒンジ（図示せず）により回動自在に枢支される、右扉４６と左扉４７によって構成された２枚の観音開き式の扉が設けられている。また、製氷室３には製氷室扉８が開口自在に設けられ、切替室４には切替室扉９が開口自在に設けられている。さらに、野菜室５には野菜室扉１０が開口自在に設けられ、冷凍室６には冷凍室扉１１が開口自在に設けられている。
【００１０】
製氷室３と切替室４の間には、これらを仕切る第１の仕切り１２が設けられている。また、冷蔵室２と製氷室３及び切替室４の間には、冷蔵室２と製氷室３の床を構成するとともに切替室４の天井を構成する第２の仕切り１３が設けられている。さらに、製氷室３と切替室４及び野菜室５との間には、製氷室３と切替室４の床を構成するとともに野菜室５の天井を構成する第３の仕切り仕切１４が設けられている。また、野菜室５と冷凍室６の間には、野菜室５の床を構成するとともに冷凍室６の天井を構成する第４の仕切り１５が設けられている。
なお、冷蔵室２の天井部であってその前縁部には凸部１１０が設けられ、凸部１１０には左ガイドピン１０９ａと右ガイドピン１０９ｂが設けられている。
【００１１】
図３は図１に示した冷蔵室２の右扉４６及び左扉４７の要部の平断面図である。右扉４６には、冷蔵庫内側に位置し非枢支側に突出部５３ｂを有する合成樹脂製の右扉内板５３と、冷蔵室２の外側に位置する鋼板製の右扉外板４８が設けられ、右扉外板４８内には発泡断熱体１ｃが充填されている。また、左扉４７には、冷蔵庫内側に位置し非枢支側に突出部５４ｂを有する合成樹脂製の左扉内板５４と、冷蔵室２の外側に位置する鋼板製の左扉外板４９が設けられ、左扉外板４９には発泡断熱剤が充填されている。
【００１２】
右扉４６の内周縁には溝が設けられ、この溝に右扉ガスケット５６が部分的に挿入されている。また、左扉４７の内周縁には溝が設けられ、この溝に左扉ガスケット５７が部分的に挿入されている。
右扉内板５３の最下部には右ボトルポケット２１が取り付けられており、また、左扉内板５４の最下部には左ボトルポケット２２が取り付けられている。これらの右ボトルポケット２１及び左ボトルポケット２２は、２リットルペットボトル飲料などを収納するに適した形状をしている。
【００１３】
右扉内板５３の突出部５３ｂと左扉内板５４の突出部５４ｂとは、左右の扉４６、４７を閉じたときには間隔Ｇを隔てて対向する。そして、右扉内板５３の突出部５３ｂの対向面５３ａには、右ガイド基部２５ａに第１の突設部２５ｂと第２の突設部２５ｃを有する右ガイド部２５が設けられており、左扉内板５４の突出部５４ｂの対向面５４ａには、同様に左ガイド基部２６ａに第１の突設部２６ｂと第２の突設部２６ｃを有する左ガイド部２６が設けられている。
【００１４】
２３は右仕切体で、右扉４６側には冷蔵室２の内側に傾斜する（突出部５３ｂ側にいくほど冷蔵室２の内側方向に傾斜する）右溝部２３ａが設けられており、冷蔵室２側には、冷蔵室２側に開口するほぼ逆Ｊ字状の右ガイド溝２３ｂが設けられている。
２４は左仕切体で、右仕切体３と同様に、左溝部２４ａ及びほぼＪ字状の左ガイド溝２４ｂが設けられている。
【００１５】
そして、右仕切体２３の右溝部２３ａは、右ガイド部２５の第１の突設部２５ｂに設けた右ガイド軸２５ｃにスライド自在に嵌合され、右仕切体２３と第２の突設部２５ｄとの間には弾性体である右巻ばね２７が介装されて、右仕切体２３を右扉内板５３の突出部５３ｂ方向に付勢している。なお、右ガイド溝２３ｂには、冷蔵室２の天井に設けた右ガイドピン１０９ａが挿入される。
【００１６】
左仕切体２４の左溝部２４ａは、左ガイド部２６の第１の突設部２６ｂに設けた左ガイド軸２６ｃにスライド自在に嵌合され、左仕切体２４と第２の突設部２６ｄとの間には弾性体である左巻ばね２８が介装されて、左仕切体２４を左扉内板５４の突出部５４ｂ方向に付勢している。なお、左ガイド溝２４ｂには、冷蔵室２の天井に設けた左ガイドピン１０９ｂが挿入される。
【００１７】
右扉内板５３の突出部５３ｂの対向面５３ａ側には、例えば塩化ビニルの如き軟質材料で形成された膜状の右パッキン２９が設けられており、一端は突出部５３ｂの対向面５３ａの内側端部（ほぼ最高延在部）に係止され、他端は右仕切体２３の左仕切体２４と対向する側の面をほぼ全域に渡り覆うようにして係止されている。また、左扉内板５４の突出部５４ｂの対向面５４ａ側には、同様に塩化ビニルの如き軟質材料で形成された膜状の左パッキン３０が設けられており、一端は突出部５４ｂの対向面５４ａの内側端部（ほぼ最高延在部）に係止され、他端は左仕切体２４の右仕切体２３と対向する面をほぼ全域に渡り覆うようにして係止されている。
【００１８】
図３においては、右扉４６及び左扉４７は閉鎖状態になっているが、このときは、右巻きばね２７及び左巻きばね２８は開き角度が自然長時に比べてやや狭めになっている。したがって、右仕切体２３及び左仕切体２４は互いに圧接する方向に力を受けていることになる。そして、膜状の右パッキン２９及び膜状の左パッキン３０はこの力によって圧縮されることになるため、扉閉鎖時の密閉性に優れた状態となっている。この場合、右仕切体２３及び左仕切体２４のいずれかの対向部に磁性体を設け、又は一方の仕切体（例えば右仕切体２３）に磁性体を設け、他方の仕切体２４に鋼性板金を設けることによって、さらに密閉性を高めることができる。
【００１９】
右巻きばね２７の作用、及び右溝部２３ａが右ガイド軸２５ｃの位置を矯正する作用により、右仕切体２３は右扉４６が閉鎖された状態において、右ガスケット５６と接している。また、左巻きばね２８の作用、及び左溝部２４ａが左ガイド軸２６ａの位置を矯正する作用により、左仕切体２４は左扉４７が閉鎖された状態において、左ガスケット５７と接している。そのため、更に冷蔵室２の密閉性が優れたものになる。
【００２０】
ところで、膜状の左パッキン３０の一端は左扉内板５４の対向面５４ａのほぼ最高延在部位置に係止されており、膜状の右パッキン２９の一端は右扉内板５３の対向面５３ａのほぼ最高延在部位置に係止されている。したがって、両扉４６、４７を閉じたときには、膜状の左パッキン３０及び膜状の右パッキン２９によって形成される空気断熱層はほぼ最大厚さとなるため、冷蔵室２からの熱漏洩量の少ない冷蔵庫となり、このため消費電力が少なくなる。また、防露ヒータなどの加熱手段も設ける必要がなくなるため、安価なものとなる。
【００２１】
次に、動作を説明する。
図４に示すように、左扉４７をイ方向に開放すると、左仕切体２４は、左仕切体２４の上面に設けられた左ガイド溝１００ａが左ガイドピン１０９ａに沿って移動するため、左扉内板５４方面にスライドする。左巻きばね２８は中性点を有しているため、左仕切体２４の動作に伴って左巻きばね２８が中性点を通過したときは、左仕切体２４を左扉内板５４側に引き寄せる方向に弾性力を発生させる。
このため、左仕切体２４が左扉４７の回転に伴った軌跡において、右扉４６側の部品等に干渉することがない。そして、膜状のパッキン３０は軟質材料でできているため、左仕切体２４の動作に伴い変形することができ、左仕切体２４の動作に支障をきたすことはない。
【００２２】
左仕切体２４がスライドするときは、左仕切体２４には左扉内板５４側に向かうほど冷蔵室２内側方向に傾斜していく左溝部２４ａが設けられているので、左仕切体２４は左扉４７がイ方向に開いていくに伴って左扉ガスケット５７から離れていく。
このため、左扉４７の動作に伴って左仕切体２４が左扉ガスケット５７に擦れることがなく、左扉ガスケット５７の経年劣化を抑制することができ、品質的に優れたものとなる。なお、右扉４６の場合も左扉４７の場合と同様に動作する。
こうして、実施の形態１によれば、観音式扉の開閉動作に支障をきたすことがなく、中途半端な位置で左右の仕切体２４、２３が停止することもないので、使い勝手がよく、左右のガスケット５７、５６の擦れ寿命劣化もなくなり、左右の仕切体２４、２３間の密着性にも優れ、消費電力も低減することができる観音開き式の扉装置を備えた冷蔵庫を得ることができる。
【００２３】
上記の説明では、弾性体として右巻きばね２７及び左巻きばね２８を用いた場合を示したが、巻きバネを板ばねに置き換えても良い。
【００２４】
実施の形態２．
図５は本発明の実施の形態２に係る冷蔵庫の左扉及び右扉の要部の平断面図である。
図に示すように、右ガイド部２５の右ガイド基部２５ａには右オイルダンパ３１が取り付けられ、左ガイド部２６の左ガイド基部２６ａには左オルダンパ３２が取り付けられている。右オイルダンパ３１及び左オイルダンパ３２はいわゆる減衰機構であり、右仕切体２３及び左仕切体２４の動作が右巻きばね２７及び左巻きばね２８の弾性力を緩和する方向に配設されている。
実施の形態２によれば、観音式扉の開閉動作に支障をきたすことなく、右仕切体２３及び左仕切体２４が動作するときにその衝撃音を緩和することができ、そのため観音式扉の開閉音を緩和し、観音式扉の寿命劣化を緩和し、そのうえ消費電力を低減することができる。
なお、上記の減衰機構には、ゴムなどの軟質部材を用いることもできる。
その他の構成、作用及び効果は実施の形態１に示した場合と同様なので、説明を省略す。
【００２５】
上記の説明では、冷蔵室２の開口部を開閉する扉に本発明を実施した場合を示したが、他の室に観音開き式の扉を設けた場合も本発明を実施することができる。
【図面の簡単な説明】
【００２６】
【図１】本発明の実施の形態１に係る冷蔵庫を示す側断面図である。
【図２】図１の冷蔵庫の扉を除去した状態を示す正面図である。
【図３】図１の冷蔵庫の左扉及び右扉を閉鎖した状態を示す要部の平断面図である。
【図４】図１の冷蔵庫の左扉を開放し右扉を閉鎖した状態を示す要部の平断面図である。
【図５】本発明の実施の形態２に係る冷蔵庫の左扉及び右扉を閉鎖した状態を示す要部の平断面図である。
【符号の説明】
【００２７】
１  冷蔵庫本体、１ｃ  発泡断熱体、２  冷蔵室、２３、２４  仕切体、２３ａ、２４ａ  溝部、２５、２６  ガイド部、２５ｃ、２６ｃ  ガイド軸、２７、２８  巻きばね（弾性体）、２９、３０  膜状のパッキン（パッキン）、３１、３２  オイルダンパ（減衰機構）、４６、４７  扉、５３ａ、５４ａ  対向面、５３ｂ、５４ｂ  突出部（対向部）、５６、５７  ガスケット、  １００ａ、１００ｂ  ガイド溝、１０９ａ、１０９ｂ  ガイドピン。
【図１】
2008185239.tif 000003
【図２】
2008185239.tif 000004
【図３】
2008185239.tif 000005
【図４】
2008185239.tif 000006
【図５】
2008185239.tif 000007